【手続補正書】
【提出日】平成17年8月8日(2005.8.8)
【手続補正１】
【補正対象書類名】明細書
【補正対象項目名】全文
【補正方法】変更
【補正の内容】
【書類名】      明細書
【発明の名称】  携帯情報端末無線ＬＡＮサービス装置
【特許請求の範囲】
【請求項１】  携帯情報端末を携帯する利用者が、携帯情報端末を探知する特定エリアを通過するときに、無線通信を介して無線ＬＡＮエージェントサーバーから携帯情報端末に情報が送られる携帯情報端末無線ＬＡＮサービス装置において、
(1)利用者が予め設定したテレビ番組の録画したデータを通信回線を介して前記無線ＬＡＮエージェントサーバーに自動的にデータ転送する手段、
(2)前記情報を提供する特定地点に利用者の所有する携帯情報端末を検知するアンテナを設置しておき、前記携帯情報端末を所有する利用者が前記特定エリアを通過するときに、前記無線ＬＡＮエージェントサーバーより無線で前記テレビ番組の録画したデータを前記携帯情報端末に送信する手段、
を備えたことを特徴とする携帯情報端末無線ＬＡＮサービス装置。
【請求項２】  携帯情報端末を携帯する利用者が、携帯情報端末を探知する特定エリアを通過するときに、無線通信を介して無線ＬＡＮエージェントサーバーから携帯情報端末に情報が送られる携帯情報端末無線ＬＡＮサービス装置において、
(1)利用者が予め設定したテレビ番組の録画したデータを通信回線を介して前記無線ＬＡＮエージェントサーバーに自動的にデータ転送する手段、
(2)前記情報を提供する特定地点に利用者の所有する携帯情報端末を検知するアンテナを設置しておき、前記携帯情報端末を所有する利用者が前記特定エリアに入ったときに、前記無線ＬＡＮエージェントサーバーより無線で前記テレビ番組の録画したデータをストリーム配信する手段、
を備えたことを特徴とする携帯情報端末無線ＬＡＮサービス装置。
【請求項３】  前記無線ＬＡＮエージェントサーバーが個人毎の配信管理手段を備えていることを特徴とする請求項１または２記載の携帯情報端末無線ＬＡＮサービス装置。
【請求項４】  前記データ転送が前記携帯情報端末に適合した形式に情報を減縮させて行われることを特徴とする請求項１乃至３記載の携帯情報端末無線ＬＡＮサービス装置。
【請求項５】  前記携帯情報端末が携帯電話であることを特徴とする請求項１乃至４記載の携帯情報端末無線ＬＡＮサービス装置。
【発明の詳細な説明】
【０００１】
【発明が属する技術分野】
本発明は、携帯情報端末を所有する利用者に対して、無線ＬＡＮを用いて情報を利用者の携帯情報端末に配信する装置に関する。
【０００２】
【従来の技術】
携帯情報端末の一種であるＰＤＡ＜Personal Digital(Data) Assistants＞は一般には手のひらに収まるサイズの、バッテリで駆動する電子機器で、液晶ディスプレイ、ペン入力機能などを備えた特殊化されたコンピュータ装置である。また、画像表示可能な多機能な携帯電話も携帯情報端末の一種といえる。
【０００３】
携帯パソコン（ポータブルパーソナルコンピュータ）は小型軽量化が進んでいる。しかし小型軽量化され、鞄に入れて持ち運びが可能であるといっても、パソコンとしてフル機能を有する携帯パソコンはポケットや鞄に入れて常時持ち運びするには大きいし、重たすぎる。これに対して一般に携帯情報端末は手のひらサイズであるために、ポケットＰＣとしての利用が可能である。とくに最近では、無線ＬＡＮと結び付けることによって、その利用範囲を広げている。例えば、食堂におけるメニューの注文システムである。このシステムは、客からの注文をペンで携帯情報端末に打ち込むと、その注文内容が無線ＬＡＮを通じてサーバーに入力されるというものである。大がかりなシステムとしては、無線ＬＡＮとインターネット（専用回線も可）を結び付けた注文生産システムがある。例えば店頭で自動車の車種、ボディーの色、装備品などの注文を携帯情報端末に入力すると、注文は店内の無線ＬＡＮサーバーに送信され、さらに無線ＬＡＮサーバーからインターネットを通じて工場の受注エントリサーバーに送信される。工場では受注した自動車の細かな注文内容をもとに生産が行われる。このように携帯情報端末と無線ＬＡＮとを結び付けたシステムの利点は、携帯情報端末が小型軽量であり、しかも配線を必要としないために、現場でデータ入力が行え、なおかつ双方向通信が可能なことである。
【０００４】
携帯電話やＰＨＳを使ったメールは、いまや人気のある通信システムとなっている。とくにインターネットに接続することによって、インターネット上で提供している情報を携帯電話やＰＨＳで受信することができる。電車の運行表やタウン情報を携帯電話のディスプレイ上に表示することによって、見知らぬ土地の名店街、ホテル情報、名所旧跡などをガイドブックなしで自由に閲覧できるようになってきている。携帯情報端末の一部にはウェイクオンリング機能（Wake-on Ring＜ＷＯＲ＞）があり、電源が切られていてもリモートでスイッチオンにし、スリープモードからの復帰を可能にすることができる。これは、ラジオやテレビなどでサービスしている緊急時のスイッチオン機能と同じものであり、完全に本体の電源が切れる場合（例えば、携帯端末のバッテリ切れやテレビの電源コンセントが抜けている場合）はもちろん使えない。なお、ＷＯＲはコンピュータの場合、ＷＯＬ（Wake-on LAN）などとも呼ばれている。それぞれの用語にはニュアンスの違いはあるが、本稿ではＷＯＲで統一記述する。
【０００５】
ＷＯＲを携帯情報端末に応用したシステムは実用化の段階を迎えている。例えば、駅の改札口に無線ＬＡＮ用のアンテナを設置し、携帯情報端末を携帯した利用者が改札口を通過するときに携帯情報端末のＷＯＲ機能が働き、自動的に新聞や雑誌の記事を携帯情報端末に送信するシステムなどが提唱されている。
【０００６】
現在、ＴＶチューナ内蔵のパソコンなどが登場しており、パソコンで直接テレビが楽しめるようになった。テレビ番組をパソコンのハードディスクに録画することもできる。データ形式は一般にＭＰＥＧ−２が多く用いられている。テレビジョンからビデオテープに録画するのと違い、ＭＰＧＥ−２ではデジタルデータであるために、画像の劣化がなく、またダイレクトアクセスが可能となっているのも、デジタル＋ハードディスクのメリットである。
【０００７】
【発明が解決しようとする課題】
現在、携帯情報端末として普及しているのは、携帯電話（あるいはＰＨＳ）と携帯情報端末である。携帯電話は割合広範囲の領域をカバーしているが、その目的は人とのコミニュケーションにあるために、画面が小さい。最近ではインターネット情報の取得、あるいは電子メールやテレビ電話としての新たな機能が加わっているが、これもコミュニケーションの一環として利用されている。ＰＨＳも基本的に携帯電話と同じ目的から生じているために、その機能と性能は携帯電話とほぼ同じものといえる。これに対して携帯情報端末は、情報端末として誕生しているために、小型のコンピュータ機能を備えている。また入力装置としての機能も備えていて、ペンによる入力も可能となっている。画面も、手のひらサイズといっても、携帯電話やＰＨＳに比べてかなり大きくて見やすい。大容量のメモリも確保しやすく、小型版の携帯パソコンに近い機能を有している。
【０００８】
そのため無線ＬＡＮを用いてサーバーからデータを取り出すと、他の方式に比べて短時間に大量のデータを取得できる。しかし、どのようなデータを必要とするか選択することが難しい。データ転送時間は短いが、蓄積できるデータ量には限界があるので、必要であることが予測されるあらゆるデータを転送するわけには行かない。
【０００９】
テレビ放送は現在のところ、必要なときに任意の番組を見られるようにはなっていない。放送を録画すれば任意の時間に見ることができるが、録画機器のある場所で見なければならない。本発明は、無線ＬＡＮを用いて、録画機器のない場所でも、自分の録画した番組を見ることができる装置を構築することを目的とする。
【００１０】
【課題を解決するための手段】
上記課題を解決するために、請求項１記載の本発明は、携帯情報端末を携帯する利用者が、携帯情報端末を探知する特定エリアを通過するときに、無線通信を介して無線ＬＡＮエージェントサーバーから携帯情報端末に情報が送られる携帯情報端末無線ＬＡＮサービス装置において、(1)利用者が予め設定したテレビ番組の録画したデータを通信回線を介して前記無線ＬＡＮエージェントサーバーに自動的にデータ転送する手段、(2)前記情報を提供する特定地点に利用者の所有する携帯情報端末を検知するアンテナを設置しておき、前記携帯情報端末を所有する利用者が前記特定エリアを通過するときに、前記無線ＬＡＮエージェントサーバーより無線で前記テレビ番組の録画したデータを前記携帯情報端末に送信する手段、を備えたことを特徴とする携帯情報端末無線ＬＡＮサービス装置である。
【００１１】
請求項２記載の発明は、携帯情報端末を携帯する利用者が、携帯情報端末を探知する特定エリアを通過するときに、無線通信を介して無線ＬＡＮエージェントサーバーから携帯情報端末に情報が送られる携帯情報端末無線ＬＡＮサービス装置において、(1)利用者が予め設定したテレビ番組の録画したデータを通信回線を介して前記無線ＬＡＮエージェントサーバーに自動的にデータ転送する手段、(2)前記情報を提供する特定地点に利用者の所有する携帯情報端末を検知するアンテナを設置しておき、前記携帯情報端末を所有する利用者が前記特定エリアに入ったときに、前記無線ＬＡＮエージェントサーバーより無線で前記テレビ番組の録画したデータをストリーム配信する手段、を備えたことを特徴とする携帯情報端末無線ＬＡＮサービス装置である。
【００１２】
請求項３記載の発明は、前記無線ＬＡＮエージェントサーバーが個人毎の配信管理手段を備えていることを特徴とする請求項１または２記載の携帯情報端末無線ＬＡＮサービス装置である。
【００１３】
請求項４記載の発明は、前記データ転送が前記携帯情報端末に適合した形式に情報を減縮させて行われることを特徴とする請求項１乃至３記載の携帯情報端末無線ＬＡＮサービス装置である。
【００１４】
請求項５記載の発明は、前記携帯情報端末が携帯電話であることを特徴とする請求項１乃至４記載の携帯情報端末無線ＬＡＮサービス装置である。
【００１５】
最近のテレビチューナ（ＴＶチューナ）内蔵パソコンは、パソコンでテレビ番組が楽しめ、かつハードディスクビデオに録画が可能である。本発明は、パソコンにＴＶチューナとハードディスクビデオレコーダ（ＨＤＶＲ）（内蔵型も可）を接続し、利用者が自宅のパソコンで予約録画したテレビ番組を無線ＬＡＮエージェントサーバーに自動送信して保存管理する。また、このような機能を有する一体型の機器としても良い。
【００１６】
一方、利用者は外出時、自宅で予約録画したテレビ番組を観たいときには、無線ＬＡＮを通して該サーバーより利用者の携帯情報端末に取り込まれた番組を携帯情報端末の画面で録画番組を楽しむ。また予約申し込みを該サーバーに電子メールで送信しておけば、インターネットにつながった自宅のパソコンが予約時間が来たときに、自動録画を始める手段も用意しておく。
【００１７】
利用者がテレビチューナを備えたパソコンで予約録画したテレビ番組をコンピュータ通信ネットワークを経由して無線ＬＡＮエージェントサーバーに送信する。利用者は該サーバーより録画・転送されたテレビ番組を無線ＬＡＮを介して携帯情報端末で受信して観ることが出来る。テレビチューナはパソコン内蔵型でもよいし、外付け型でもよい。記録装置としては、ハードディスクやＤＶＤ等、適当なものを用いることができる。
【００１８】
外出先で急に観たい番組ができたり、あるいは予定の時間に家に帰れなくなったような場合、観たいテレビ番組があったときに、予約録画できれば、便利である。このようなとき、利用者は無線ＬＡＮエージェントサーバー（ＬＡＮサーバー）より携帯情報端末に予め配信された番組表から利用者が番組を調べ、観たい番組がある場合、利用者はＬＡＮサーバーに携帯情報端末から予約を申し込むと、番組予約メールがＬＡＮサーバーより作成され、インターネットに接続されたパソコンがＬＡＮサーバーより該番組予約メールを取得して番組予約を完了し、収録時間が来たときに自動的に番組を録画する。もちろんこの場合も、ＬＡＮサーバーの記録装置に録画すると同時に、収録番組を送信することができ、無線ＬＡＮ経由で携帯情報端末に取り込んで観ることもできる。
【００１９】
録画テレビ番組を携帯情報端末に落とす（ダウンロードする）場合、無線ＬＡＮを通じて収録内容をすべて携帯情報端末のメモリにダウンロードされる。従って、いったんダウンロードしてしまえば、あとは無線ＬＡＮと無関係に番組を何度でも楽しむことができる。しかし、すべてのデータをダウンロードするとなると、大量のデータを携帯情報端末に送信することは時間的にもメモリ的にも無理がある。幸い、携帯情報端末の画面は小さいために、録画したデータを圧縮して使うことができる。もちろん画質は落ちるが、画面が小さいために、画質の劣化は感じられない。
【００２０】
データをダウンロードしてから番組を見る以外に、サーバーからストリーミング配信を行って、通信しながら番組を再生することもできる。
【００２１】
通常、コンピュータで録画する場合、ＭＰＥＧ−２のデータ形式が使われている。このデータ形式からＬＡＮサーバーに送信するときに、携帯情報端末用のデータ形式に圧縮する（ここでいう圧縮は通常使われるデータの圧縮という意味より、データの縮小＜データの間引き＞を意味する）。従って、少ないデータ量で送受信が行え、時間的にもメモリ的にも効率化が図れる。もちろん自宅のパソコンで録画した番組はＭＰＥＧ−２形式であるために、パソコンで録画番組を観る場合には鮮明な画像が再現されている。
【００２２】
以上、テレビ番組についての配信システムを述べてきたが、最近はラジオ、ＣＡＴＶ、ビデオテープ、ＤＶＤなどからも音楽や映像のデータをパソコンに取り込むことができる。本発明では、このようなメディアに対しても、そのまま応用でききる。もちろん、それぞれ異なるメディアを使うために、それぞれのメディアに対応する機器が必要となる。
【００２３】
【発明の実施の形態】
本発明の実施の形態を図面を用いて説明する。図１は、本発明の携帯情報端末無線ＬＡＮサービス装置のシステム構成図である。利用者の自宅1には常時インターネット9に接続されたパソコン110（ＰＣ）があり、パソコン110にはテレビチューナ130（ＴＶチューナ）とハードディスクビデオレコーダ140（ＨＤＶＲ）が取り付けられている。配信データ管理センター2には無線ＬＡＮエージェントサーバー210（ＬＡＮサーバー）が据え付けられていて、インターネット9で利用者パソコン110と接続されている。またＬＡＮサーバー210には利用者管理データベース221と配信データ管理データベース222が接続されている。前者は該サーバーを利用する利用者の個人データを管理するデータベースであり、後者は利用者のパソコンから送られていくる映像データを保存管理している。
【００２４】
これまで無線ＬＡＮの設置場所について触れてこなかったが、本発明は、日常生活の生活活動内での利用形態が中心となると思われる。そこで最も有効な無線ＬＡＮの据え付け場所としては、利用者が日常的に頻繁に利用するＪＲ、地下鉄、私鉄などの駅の改札口やホームなどが好ましい。またコンビニエンスストアは２４時間営業であり、多くの人が日常的に利用するために、このような施設に設置しておくと効率的である。図において、無線ＬＡＮ据付施設3には端末（図示略）が設置されていて、インターネット9でＬＡＮサーバー210と接続されている。また端末から配線によってアンテナ310が延びており、携帯情報端末150を所有する利用者がアンテナの発する電波8の範囲に入ったとき、パソコン110で録画された映像データの送信が行われる。アンテナの発する電波の有効範囲は半径約５０メートルの円内である。このとき、送信方法には二通りある。一つは、ＷＯＲ機能を使って自動的に最新の録画映像データを配信データ管理データベース222から読みだして送信する方法である。もちろん携帯情報端末に電源が入っている場合にはＷＯＲを使わなくてもすぐにデータ送信できる。
【００２５】
もう一つは、録画済みの番組一覧表のみを送信し、利用者に番組を選ばせて、選択した番組を送信する方法である。いずれにしろ、ＬＡＮサーバーから映像データを送信する場合には、録画した単位ですべてのデータが携帯情報端末のメモリにダウンロードされる。録画時間の長い番組の場合には、利用者は無線ＬＡＮの電波の範囲内に一時的に立ち止まっていなければならないこともある。その意味においても、駅のホームで電車待ち時間にダウンロードする形を取ると効率的なデータ取得が行える。
【００２６】
図２は、パソコンで入力する録画予約表の一例である。１行目に“８月１５日（木）午前６：２５”とあるのは、現在の日付と時間である。この例では入力項目は、日付、開始（時間）、終了（時間）、ＣＨ、モード、送信、保存期間、リピートとなっている。ＣＨはチャンネルを指定し、モードは録画モードを表している。例えば高画質ＨＱモードなら“ＨＱ”、標準画質モードなら“ＳＰ”、長時間録画のＬＰモードなら“ＬＰ”というように指定する。送信はＬＡＮサーバーに録画番組を送信するかどうかの指定で、“する／しない”のいずれかを選択する。送信した録画番組の保存期間はＬＡＮサーバーの配信データ管理データベースにどれだけの期間保存しておくかの指定で、デフォルトは１日である。送信を“しない”を選んだ場合には、この欄に記述した内容は無視される。
【００２７】
リピートは毎日繰り返しこの時間の番組を録画するかの指定で、“する／しない”のいずれかの選択になる。例えば図の１行目の例では、８月１５日の６時３０分から７時まで１チャンネルの番組をＨＱモードで録画し、ＬＡＮサーバーに送信するとなる。またリピートを“する”としているために、指定した１５日だけでなく、毎日この時間になると自動的に録画が行われ、データ送信が行われることになる。便利な指定ではあるが、ハードディスクビデオレコーダのメモリを大量に使う危険性も伴うのでこの項目をなくしてもよい。一方、図の例ではタイトルを入れていないが、タイトル欄を用意して、タイトルで録画した番組の情報を探すこともできる。どのような予約表にするかは本発明の請求外であるが、ＬＡＮサーバーに送るかどうかの項目と保存期間は最低必要となる。
【００２８】
参考までにハードディスクビデオレコーダに搭載のハードディスク容量ごとの録画モードの違いによる録画時間を表１に載せておく。１２０ＧＢのハードディスクの場合、標準のＳＰモードで約４５時間の録画ができる。１日２時間の録画なら、約２２日間の録画が可能である。
【００２９】
【表１】
2004080083.tif 000001
【００３０】
利用者は家庭のパソコンでテレビ番組を観るときには、必ずしも録画する必要はなく、直接パソコンのディスプレイ120に番組を映して観ることができる。またハードディスクビデオレコーダで録画した番組を直接ディスプレイで観る場合には、携帯情報端末で観る必要がないため録画予約表の送信を“しない”としておけばよいことになる。携帯情報端末で観たいときのみ、送信を“する”と指定する。本発明では録画予約の仕方として、携帯情報端末から行うこともできる。
【００３１】
携帯情報端末から録画予約をＬＡＮサーバーに送信する方法は二通りある。一つは、ＬＡＮサーバーから送られてきたテレビ番組表を調べ、ペンで番組を選択する方法である。番組表から選ぶ方法では録画開始時間、終了時間、録画チャンネルは自動的に分かるから、あとは録画モード、携帯情報端末に送信するかどうかの選択項目のみを付加しておくだけでよい。この点も、デフォルト値を決めておき、デフォルト値で処理するなら、入力する必要はない。もう一つは、図２の録画予約表に直接録画の日時や録画モードなどを埋めて、電子メールとしてＬＡＮサーバーに送信する方法である。
【００３２】
携帯情報端末からＬＡＮサーバーに送られた録画予約表は、電子メールの形として整えられ、パソコンに送信される。録画予約表の電子メールは、パソコンが定期的にメールボックスにアクセスしているので、ＬＡＮサーバーにメールがある場合にパソコンに送信されることになる。録画予約表を入手すると、パソコンは図２に示す録画予約表に電子メールのデータを移す。こうしておけば、録画時間が来れば自動的にＴＶチューナとハードディスクビデオレコーダが作動し、録画が開始される。携帯情報端末への送信指定がある場合には、録画と同時に録画番組がＬＡＮサーバーに送信される。パソコンで録画予約した形態とまったく同じ経過をたどる。
【００３３】
本発明では、ハードディスクに録画しながら、同時に（並行して）ＬＡＮサーバーに録画データを送信することもできる。ハードディスクに高画質ＨＱモードで録画指定しても、ＬＡＮサーバーに送信するデータは画質を落として送信することになる。図３に示すように携帯情報端末画面は、ディスプレイ画面に比べてはるかに小さいために、データ量を落としても見た目ではそれほどの画質の劣化を感じない。従って、ハードディスクビデオレコーダで再生するときは高画質の映像が楽しめ、携帯情報端末ではデータ量が圧縮された（凝縮された）映像を観ることになる。これによって、送信時間の短縮と、携帯情報端末メモリと配信データ管理データベースの記録データ量の節約が可能となっている。
【００３４】
なお、携帯情報端末から録画予約する場合には、無線ＬＡＮの設置されている場所へ行かなければならない。従って、携帯電話で録画予約電子メールをＬＡＮサーバーに送信するルートも設けておくと、録画予約に幅のある活用が可能となる。
【００３５】
以上、テレビ番組の録画予約と携帯情報端末での観賞方法について述べてきた。しかし、ＬＡＮサーバーでは配信データのソース（発生元）は問わないから、音楽やビデオテープからのデータもＬＡＮサーバーに送信しておけば、携帯情報端末で再生することができる。この場合、機器やアプリケーション上の対応をパソコンと携帯情報端末でとらなければならないが、ＬＡＮサーバーでの対応は基本的に不要である。例えばビデオテープもデジタル化してパソコンのハードディスクに録画することが可能であり、この場合には、ハードディスクコピーすると同時にＬＡＮサーバーにデジタル化した映像データを送信すれば、テレビ番組と同様にＬＡＮサーバーからの配信映像データを携帯情報端末で観賞することができる。ビデオテープのアナログデータをデジタルデータに変換するアプリケーションをパソコンにインストールしておかなければならないが、デジタル化された映像データはテレビ番組と同様にＬＡＮサーバーと携帯情報端末で対応することができる。もちろん対象が音である場合も、同様な方法で利用が可能である。
【００３６】
【発明の効果】
携帯情報端末は携帯電話やＰＨＳに比べてコンピュータとしての機能に優れている。また画面も携帯電話やＰＨＳに比べて大きい。しかし通信を行う場合の問題は、基地局の設置である。この点に関して、人が日常よく利用する場所に設置すれば、問題は解決する。その候補の一つが鉄道の駅であり、もう一つはコンビニエンスストアである。とくにビジネスパーソンにとっては、これらの場所は日常的に利用するものであるから、本発明の無線ＬＡＮを有効に利用することができる設置場所といえる。ＷＯＲ機能を使って、鉄道の改札口や駅構内で自動的に携帯情報端末に映像データをダウンロードすることも可能であり、利用者に無理のない利用方法が可能となる。
【００３７】
本発明では録画予約と携帯情報端末への映像データ送信を同時に行う装置であるために、効率的なデータ処理を可能にしている。携帯情報端末へのデータ送信は、携帯情報端末の画面に合わせたデータの縮小を行っているために、送信時間の短縮化ができ、無線ＬＡＮエージェントサーバーでの映像データの保存管理を効率的に行うことができる。
【００３８】
利用者にとっては、家庭で観ることができないテレビ番組を好きなときに好きな場所で観ることができるという利点がある。とくにビジネスパーソンにとって、朝の忙しい時間にニュースや外国語講座などのテレビ番組を通勤電車の中で観られるという利点がある。しかも番組単位で携帯情報端末にダウンロードされるために、いったんダウンロードしてしまえば、再度無線ＬＡＮの設置場所に行く必要もなく、ダウンロードした番組を繰り返し観ることもできる。
【００３９】
一方、録画予約は基本的にハードディスクビデオレコーダに高画質（ただし予約時のモード指定によって画質は異なる）の映像を、ＬＡＮサーバーに送信すると同時に録画収録しているために、家に戻ってハードディスクビデオレコーダで再生すれば、鮮明な映像でテレビ番組を楽しむこともできる。また録画予約は外出先からでも行えるために、予め家で録画予約しておかなくても、観たい番組を見逃すことがない。しかもデジタルデータであるために、何度観ても画質の劣化は起こらない。それなりの機器の装備は必要となるが、録画したデジタルデータをＤＶＤに落として保存管理することも可能である。
【００４０】
本発明はデジタル化されたデータならそのまま扱えるために、ラジオや有線放送などにも応用範囲が広げられるというメリットがある。もちろん、パソコンや携帯情報端末でのアプリケーションやそれなりの機器の準備は必要となるが、センター（ＬＡＮサーバー）側での対応はほとんど同じ装置で対応することができる。
【図面の簡単な説明】 
【図１】
本発明の携帯情報端末無線ＬＡＮサービス装置のシステムブロック図である。
【図２】
本発明の携帯情報端末無線ＬＡＮサービス装置で録画予約する場合の予約表の一例を説明するための図である。
【図３】
本発明の携帯情報端末無線ＬＡＮサービス装置でパソコンから無線ＬＡＮエージェントサーバーに映像データを送信する場合のデータ量の縮小を説明するためのパソコンディスプレイと携帯情報端末ディスプレイの画面図である。
【符号の説明】
１        自宅（利用者宅）
１１０    パソコン（ＰＣ）
１２０    ディスプレイ
１３０    テレビチューナ（ＴＶチューナ）
１４０    ハードディスクビデオレコーダ（ＨＤＶＲ）
１５０    携帯情報端末（ＰＤＡ）
２        配信データ管理センター
２１０    無線ＬＡＮエージェントサーバー（ＬＡＮサーバー）
２２１    利用者管理データベース
２２２    配信データ管理データベース
３        無線ＬＡＮ据付施設
３１０    無線ＬＡＮ用のアンテナ
８        無線（電波）
９        インターネット